【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
少なくとも1つのグリオキサールモノマー単位と、少なくとも1つの一級アミド含有モノマー単位と、少なくとも1つのカチオン性モノマー単位とを含むターポリマーであって、該少なくとも1つのカチオン性モノマー単位が第四級アンモニウムアルキル（メタ）アクリレート塩であって；
ここで、該ターポリマーが以下の構造式（I)をもつ、ターポリマー；
【化１】
2019507816.tif 000001
（式中、aは1単位〜6600単位であり、bは1単位〜3300単位であり、cは1単位〜5300単位であり、これらの単位は構造（I）中、ランダム又は非ランダムに繰り返されるものであり、R1及びR2は、同じであっても異なっていてもよく、H、C1アルキル、C2アルキル、C3アルキル又はC4アルキルを表す）を有し得、ターポリマー100%に対して、単位aの総重量パーセントは17%〜23%、単位bの総重量パーセントは22%〜32%、単位cの総重量パーセントは、51%〜55%であり、ターポリマーの平均分子量は、500000ダルトン〜2000000ダルトンである）。
【請求項２】
前記少なくとも1つの一級アミド含有モノマー単位がアクリルアミドである、請求項1に記載のターポリマー。
【請求項３】
前記第四級アンモニウムアルキル（メタ）アクリレート塩が、構造（II）：
【化２】
2019507816.tif 000002
（式中、R1は水素又はメチルであり、Aは炭素数2又は3の直鎖アルキレン基であり、Zはハロゲンであり、R2、R3及びR4は各々、同じか又は異なり、C1〜C3アルキル基又はベンジル基である）を有する、請求項1に記載のターポリマー。
【請求項４】
前記第四級アンモニウムアルキル（メタ）アクリレート塩が、
エタンアミニウムN,N,N-トリメチル-2-((1-オキソ-2-プロペニル)オキシ)クロライド、
(2-(メタクリロイルオキシ)エチル)トリメチルアンモニウムクロライド、
(3-(アクリロイルオキシ)プロピル)トリメチルアンモニウムクロライド、
(3-(メタクリロイルオキシ)プロピル)トリメチルアンモニウムクロライド、
(2-(アクリロイルオキシ)エチル)ベンジル-ジメチルアンモニウムクロライド、
(2-(メタクリロイルオキシ)エチル)ベンジル-ジメチルアンモニウムクロライド、
(3-(アクリロイルオキシ)プロピル)ベンジル-ジメチルアンモニウムクロライド、
(3-(メタクリロイルオキシ)プロピル)ベンジル-ジメチルアンモニウムクロライド、
又はそれらの任意の組合せである、請求項1に記載のターポリマー。
【請求項５】
前記第四級アンモニウムアルキル（メタ）アクリレート塩が、エタンアミニウムN,N,N-トリメチル-2-((1-オキソ-2-プロペニル)オキシ)クロライドである、請求項1に記載のターポリマー。
【請求項６】
前記一級アミド含有モノマー単位が、アクリルアミド、メタクリルアミド、エタクリルアミド、クロトンアミド、N-ブチルアクリルアミド、N-メチルアクリルアミド、N-メチルメタクリルアミド、N-エチルアクリルアミド、N-エチルメタクリルアミド、N-イソプロピル（メタ）アクリルアミド、又はそれらの任意の組合せである、請求項1に記載のターポリマー。
【請求項７】
少なくとも1年間安定であって、該ターポリマーの1年間安定が、１年以内に7 cpsを超える溶液の粘度上昇無いことを、37℃での溶液での貯蔵において該ターポリマーの粘度を測定することで決定される、請求項1に記載のターポリマー。
【請求項８】
グリオキサールとベースコポリマーとの反応から得られる、ターポリマーであって、該ベースコポリマーが、少なくとも1つの一級アミド含有モノマーと、該一級アミド含有モノマーと共重合可能な少なくとも1つのカチオン性モノマーとの反応生成物を含み、ここで少なくとも1つのグリオキサールは、前記ベースコポリマー中のアミド基と反応して、前記ターポリマーのペンダント基を形成し、該少なくとも1つのカチオン性モノマーが第四級アンモニウムアルキル（メタ）アクリレート塩であり、そして、該ベースコポリマーは、500000ダルトン〜1600000ダルトンの範囲の重量平均分子量を有し、ここで、該ターポリマーは、以下の構造式（I)をもつ、ターポリマー；
【化１】
2019507816.tif 000003
（式中、aは1単位〜6600単位であり、bは1単位〜3300単位であり、cは1単位〜5300単位であり、これらの単位は構造（I）中、ランダム又は非ランダムに繰り返されるものであり、R1及びR2は、同じであっても異なっていてもよく、H、C1アルキル、C2アルキル、C3アルキル又はC4アルキルを表す）を有し得、ターポリマー100%に対して、単位aの総重量パーセントは17%〜23%、単位bの総重量パーセントは22%〜32%、単位cの総重量パーセントは、51%〜55%であり、ターポリマーの平均分子量は、500000ダルトン〜2000000ダルトンである）。
【請求項９】
前記少なくとも1つの一級アミド含有モノマー及び前記少なくとも1つのカチオン性モノマーが、約0.01:1〜0.6:1の範囲の重量比で存在する、請求項8に記載のターポリマー。
【請求項１０】
前記ベースコポリマーが、約20 wt%〜約45 wt%の一級アミド含有モノマーと、約30 wt%〜約55 wt%のカチオン性モノマーとを含む、請求項8に記載のターポリマー。
【請求項１１】
少なくとも1つの一級アミド含有モノマーと、該一級アミド含有モノマーと共重合可能な少なくとも1つのカチオン性モノマーとの単離され乾燥化された反応生成物を含む、ベースコポリマーであって、該少なくとも1つのカチオン性モノマーが第四級アンモニウムアルキル（メタ）アクリレート塩であり、ここで前記反応産物は500000ダルトン〜1600000ダルトンの重量平均分子量をもち、そして、前記反応生成物が乾燥粒子形態のグリオキサール化可能なコポリマーである、ベースコポリマー。
【請求項１２】
請求項1に記載のターポリマーと水性媒体とを含み、該ターポリマーが該水性媒体中に分散している、ポリマー組成物。
【請求項１３】
請求項1に記載のターポリマーを含む、紙シート、板紙、ティッシュペーパー又は壁板から選ばれる、紙製品。
【請求項１４】
請求項1に記載のターポリマーを含有する紙層を含む、製品であって、該紙製品が紙シート、板紙、ティッシュペーパー又は壁板である、製品。
【請求項１５】
一定量の請求項1に記載のターポリマーを、水性懸濁液中のセルロース製紙用繊維上に吸収させることと、該水性懸濁液をウェブ状にすることと、該ウェブを乾燥させることとを含む、製紙する方法であって、該懸濁液が該ターポリマーを含まずに作製される紙と比較して、該一定量のターポリマーが、歩留まり、濾水率、又は紙の乾燥強度を増大させるのに有効である、方法。
【請求項１６】
前記紙が、乾燥繊維1トン当たり0.1ポンド〜1ポンドのターポリマーを含む、請求項15に記載の方法。
【請求項１７】
前記吸収前に、35°F〜85°Fの温度で21日〜365日間、前記ターポリマーを貯蔵した、請求項15に記載の方法。
【請求項１８】
前記水性懸濁液が前記ターポリマーを含まずに作製される紙と比較して、前記一定量のターポリマーが、歩留まり、濾水率、又は紙の乾燥強度を少なくとも10%増大させるのに有効である、請求項15に記載の方法。
【請求項１９】
前記水性懸濁液が前記ターポリマーを含まずに作製される紙と比較して、前記一定量のターポリマーが、歩留まり又は濾水率を少なくとも50%増大させるのに有効である、請求項15に記載の方法。
【請求項２０】
前記セルロース製紙用繊維が損紙を含む、請求項15に記載の方法。
【請求項２１】
前記ターポリマーを、濾水前にパルプ紙料中の製紙用パルプ又は板紙作製用パルプと接触させて、処理済みパルプ懸濁液を得た後、該パルプ懸濁液を濾水し、濾水した処理済みパルプ懸濁液を紙又は板紙にする、請求項15に記載の方法。
【請求項２２】
請求項1に記載のターポリマーを添加剤として紙パルプに添加することを含む、紙パルプにおける濾水性を改善させる方法。
【請求項２３】
約20 wt%〜約45 wt%の一級アミド含有モノマーと、該一級アミド含有モノマーと共重合可能な約30 wt%〜約55 wt%のカチオン性モノマーとを共重合させて、ベースコポリマーを形成することと、
なお、該カチオン性モノマーが第四級アンモニウムアルキル（メタ）アクリレート塩を含む；
前記ベースコポリマーをグリオキサールと共重合させて、少なくとも1つのペンダントグリオキサールモノマー単位を含むターポリマーを形成することと、
を含む、ターポリマーを製造する方法であって、
該ターポリマーは、以下の構造式（I)をもつ；
【化１】
2019507816.tif 000004
（式中、aは1単位〜6600単位であり、bは1単位〜3300単位であり、cは1単位〜5300単位であり、これらの単位は構造（I）中、ランダム又は非ランダムに繰り返されるものであり、R1及びR2は、同じであっても異なっていてもよく、H、C1アルキル、C2アルキル、C3アルキル又はC4アルキルを表す）を有し得、ターポリマー100%に対して、単位aの総重量パーセントは17%〜23%、単位bの総重量パーセントは22%〜32%、単位cの総重量パーセントは、51%〜55%であり、ターポリマーの平均分子量は、500000ダルトン〜2000000ダルトンである）。